(57)【特許請求の範囲】
【請求項１】
長手軸線まわりに回転できるように取り付けたローラ・ボディを包含し、前記ローラ・ボディがエラストマ材料の外面を有し、
前記エラストマ外面がほぼ円筒形であり、また、前記長手軸線に対して傾斜した少なくともローラの半径方向中央平面の各側に１つずつ、２つの切り込みが設けてあり、切り込みの各々が、それぞれ内側から外側へ、ローラの対応した端に向かって傾斜している、そして、前記エラストマ外面から前記切り込み内への移行表面が９０度未満の開先角度をなし、丸くなっている、および
前記エラストマ外面の中央領域が０.１〜０.５ミリメートルくぼんでいる、
ストレッチャ・ローラ。
【請求項２】
外面が、外面と切り込みの間にただ単に丸くなった移行部を有する請求項１記載のストレッチャ・ローラ。
【請求項３】
くぼんだ領域が円筒面を有する請求項３記載のストレッチャ・ローラ。
【請求項４】
くぼんだ領域が１０〜１００ミリメートル長手方向に延びている請求項３記載のストレッチャ・ローラ。
【請求項５】
円筒形外面とくぼんだ領域の間の移行部が円弧状である請求項１記載のストレッチャ・ローラ。
【請求項６】
切り込みの各々が、中央平面からローラのそれぞれ外端部に向かって延びているアンダーカットされた均一な螺旋の形をしている請求項１記載のストレッチャ・ローラ。
【請求項７】
中央平面に位置する螺旋形の切り込みの内端が、互いに対してオフセットしており、螺旋の内端が横並びに位置しないようにした請求項６記載のストレッチャ・ローラ。
【請求項８】
外面が、別体の剛性ローラ・ボディに取り付けたエラストマ材料のスリーブを包含する請求項１記載のストレッチャ・ローラ。
【発明の詳細な説明】
【０００１】
本発明は、プラスチック・フィルム、紙またはテキスタイルのような移動している可撓性ストリップ材料を広げるためのストレッチャ・ローラに関する。
【０００２】
このようなストレッチャ・ローラは、DEA２９５２２０１１から公知である。これは、その両端に支持スピンドルを有する剛性ローラ・ボディを包含する。エラストマ材料のカバーが、ローラ・ボディに取り付けてある。エラストマのカバーは、その表面から内部へ延びる切り込みを有する。これらの切り込みは、ローラ・ボディの長手軸線に対して傾斜している。これらの切り込みは、また、それぞれローラの隣接した外端部に向かってローラの内部から半径方向中央平面の各側で内方から外方へ傾斜している。ローラの半径方向中央平面の各側に設けた切り込みは、それぞれ整合する螺旋の形となっている。各螺旋は、アンダーカットされている。各螺旋は、中央平面からローラのそれぞれの外端部に向かって延びている。螺旋切り込みの内端は、互いに対して角度的にオフセットしており、螺旋の内端が互いに横並びに位置することがないようにしてある。螺旋形切り込みの内端は、実際、互いに関して１８０度にわたってオフセットしている。
【０００３】
切り込みは、円弧状の側面によって境され、切り込みの底は丸くなっている。ローラ表面から切り込み内への移行部は、片側で丸くなったか、または面取りした形で延びている。反対側では、鋭い縁となっている。これらの鋭い縁は、９０度未満の開先角度をなしている。１つの切り込みの丸くなった移行部は、空間的に、同じ切り込みの鋭い縁の移行部よりも半径方向中央平面から遠くなっている。
【０００４】
ローラ・ボディは、中央領域において拡げ作用が不充分とならないように非円筒形部分を有してもよい。同じ理由のために、ストレッチャ・ローラをカバリングの中央部分に、垂直な切り込みを設けてもよい。
【０００５】
丸くなった移行部は、鋭い縁によってストリップ材料の絞りまたは撓みがなんら生じないようにする。切り込みの螺旋形状およびその傾斜により、作業中にストリップ材料を均一かつ良好にストレッチングすることができる。
それにもかかわらず、このストレッチャ・ローラでは、特に薄膜の縁領域において、撓みまたはゆがみが生じる可能性がある。
【０００６】
本発明の目的は、作業中の薄いストリップ材料における上述の撓みまたはゆがみを避けるストレッチャ・ローラを提供することにある。
【０００７】
本発明によれば、ストレッチャ・ローラは、長手軸線まわりに回転できるように取り付けたローラ・ボディを包含し、このローラ・ボディがエラストマ材料の外面を有し、このエラストマ外面がほぼ円筒形であり、さらに、前記長手軸線に対して傾斜した少なくとも１つの切り込みを有し、そして、前記外面から前記切り込み内への移行表面が９０度未満の開先角度をなし、丸くなっていることを特徴とする。
これは、外面から切り込みへの鋭い縁の移行部を避け、ストリップ材料の撓み、ゆがみを減らす。
【０００８】
特に影響を受ける切り込みは、ローラの各端にある切り込みである。これらの端で、フィルムの縁領域が切り込みに入る。フィルムの当該縁領域は、鋭い縁によって損傷を受ける可能性があった。この問題は、丸みを付けるか、あるいは面取りをすることによって避けられる。
【０００９】
好ましくは、外面は鋭い縁を持たないが、表面と切り込みの間の移行部をただ単に丸くするだけでよい。ストレッチされたストリップ材料における折り目または撓みは、丸くなった部分によって最良の状態で避けられる。
【００１０】
好ましくは、外面の中央領域は、特に０.１〜０.５ミリメートルだけくぼませる。このくぼんだ領域は、それに関する限り円筒形であり、好ましくは１０〜１００ミリメートルの長手方向寸法を有する。
【００１１】
ローラ・ボディに負荷をかけた際、中央平面から離れたローラの表面の領域がこの負荷によって比較的軽く押圧されることがわかった。ストリップ材料は、作業中、縁領域におけるよりも、中間領域で大きな圧力にさらされる。この圧力差は、ストレッチング作用の均一性に影響を及ぼす。このような不均一な負荷は、くぼみを設けることによって避けられるか、または少なくとも低減される。ストレッチング作用がこうして改良される。また、このようなくぼんだ領域は、容易に、したがって経済的に製造することができる。
【００１２】
以下、添付図面を参照しながら本発明の実施の形態を説明する。
図１のストレッチャ・ローラは、両端に支持ピンまたはトラニオン２を有する剛性ローラ・ボディ１を包含し、長手軸線５まわりに回転できるように装着される。エラストマ材料のスリーブ状カバー３がボディ１に取り付けてある。エラストマのカバー３は、ほぼ円筒形の外面４を有する。この外面４に、内部に向かって延びる切り込み６が設けてある。ローラ１の半径方向中央平面７の各側に１つずつ、２つの切り込み６が設けてある。各切り込みは、ローラ・ボディの長手軸線５に対して傾いた方向に延びており、ローラ１の隣接した端８または９に向かって内方から外方へ傾斜している。各切り込み６は、均一な螺旋の形に作られている。したがって、各螺旋はアンダーカットされている。両方の螺旋は、中央平面７からローラのそれぞれの外端部８、９に向かって延びている。螺旋切り込み６の内端は、互いに対して１８０度オフセットして配置してあり、螺旋の内端が互いに隣接して位置しないようにしてある。
【００１３】
切り込みは、円弧状であると好ましい側面１０、１１と、丸くなった底面１２とによって構成されている。円筒形外面４から切り込み６内への各移行部１３、１４は、丸くなったか、または面取りされた状態で延びている。１つの切り込みの一方の移行部１３は、空間的に、同じ切り込み６の他方の移行部１４よりも半径方向中央平面から離れている。移行部１４は、表面４、側面１１間で９０度未満の傾斜角をなす。
【００１４】
鋭い縁によって生じる撓みあるいは折り目は、丸くなった移行部によって避けられる。それに加えて、切り込みの傾斜についての螺旋形の均質性により、作業中、ストリップ材料の均一で良好なストレッチングを行える。
【００１５】
端８、９近くで、薄いストリップ材料１６の縁領域１５は、切り込み６に入る可能性がある。それ故、ストリップ材料は、鋭い縁によって、当該縁領域１５において或る程度損傷を受ける可能性があった。この問題は、丸くなった部分１４によって避けられる。
【００１６】
外面は、ほぼ円筒形であるが、中央平面７の領域において、円筒形表面は、表面４に対してややくぼんでおり、事実、０.３ミリメートルほどくぼんでいる。このくぼんだ領域１７は、この部分についてもほぼ円筒形であり、２５ミリメートルの長手方向寸法を有する。くぼんだ状態を示すために、表面４の位置を点線で示してある。
【００１７】
ローラ・ボディに負荷をかけた際、中央平面から遠い方に位置するローラの表面領域がこの負荷によって比較的に軽く押圧されることがわかった。それ故、ストリップ材料は、作業中、縁領域におけるよりも、中央領域において大きい圧力にさらされる。この圧力差は、ストレッチング作用の均一性に影響を及ぼす。くぼませることにより、このような不均一な負荷を避けるか、または少なくとも低下させることを確実にする。こうして、ストレッチング作用が改良される。また、くぼんだ領域は、容易に、それ故、経済的に製造することができる。
【００１８】
ストレッチャ・ローラの円筒形外面４とくぼんだ領域１７の間の移行部は円弧状に延びる。したがって、ここで再びストリップ材料に折り目や隆起を残す縁が避けられる。
【００１９】
図２は、ストレッチャ・ローラの外観図である。１つの螺旋切り込み６の内端１８がこの図に示す側に開いている。第２螺旋の他の内端は、反対側に位置するように１８０度オフセットしていて見えない。
【００２０】
図面の参照符号１９は、９０度未満の角度で移行部を有する、冒頭で述べた技術の状態を示しており、面取り、丸い形状または円弧状の形状で形成された鈍い縁ではなくて、鋭い縁が形成されている。
【００２１】
図３は、ストレッチャ・ローラの表面に設けた切り込み６の別の実施形態を示す拡大断面図であり、対応する参照符号が対応する部分に付けてある。図３において、螺旋形の切り込み６のピッチは減らしてあり、移行部１４での開先角度もより小さくなっている。
【図面の簡単な説明】
【図１】プラスチック・フィルム、紙またはテキスタイルのような移動している可撓性ストリップ材料を広げるためのストレッチャ・ローラの断面図である。
【図２】図１のローラの側面図である。
【図３】ローラの別の実施形態の拡大断面図である。
【符号の説明】
１   ローラ・ボディ
２   支持ピンまたはトラニオン
３   カバー
４   円筒形外面
５   長手軸線
６   切り込み
７   半径方向中央平面
１０   側面
１１   側面
１２   底面
１３   移行部
１４   移行部
１５   縁領域
１６   ストリップ材料
１７   くぼみ領域
【図１】
0004698802.tif 000002
【図２】
0004698802.tif 000003
【図３】
0004698802.tif 000004